(57)【要約】【課題】消費者が色、模様、素材又はそれらの組合わせを自由に選択してそれらを容易に変更でき、しかも、製造者のコスト負担を軽減できることができるバッグ組立体等を提供する。【解決手段】本発明によるバッグ組立体は、リュックサック組立体、ヒップバッグ組立体、手提げバッグ組立体又は肩掛けバッグ組立体である。バッグ組立体（１）は、バッグ本体（２）と、このバッグ本体（２）の表面（８）に取付けられる面部材（１０）と、バッグ本体（２）と面部材（１０）とを脱着可能に連結するためのスライドファスナー等の脱着手段（５６）と、を有する。面部材（８）を脱着手段（５６）によってバッグ本体（２）に取付けたとき、面部材（８）とバッグ本体（２）との間に収納部が形成される。【選択図】　　　図２
2004065624.tif 000002
【特許請求の範囲】
【請求項１】
バッグ本体と、このバッグ本体の表面に取付けられる面部材と、前記バッグ本体と前記面部材とを脱着可能に連結するための脱着手段と、を有し、前記面部材を前記脱着手段によって前記バッグ本体に取付けたとき、前記面部材と前記バッグ本体との間に収納部が形成されることを特徴とするバッグ組立体。
【請求項２】
前記面部材は、前記バッグ本体に対して裏返して取付けることができる、請求項１に記載のバッグ組立体。
【請求項３】
前記脱着手段は、スライドファスナー組立体を有し、このスライドファスナー組立体は、前記バッグ本体と前記面部材のそれぞれに取付けられた互いに係合分離可能なファスナー部材の対と、このファスナー部材対を係合分離するように前記ファスナー部材対に沿って摺動する少なくとも２つのスライダーと、を有し、前記ファスナー部材対は、一方の又は他方の前記ファスナー部材を前記スライダーから脱着することが可能な少なくとも２つの脱着端部を有し、一の脱着端部において一方又は他方の前記ファスナー部材を一のスライダーに取付けた後、他の脱着端部において一方又は他方の前記ファスナー部材を他のスライダーに容易に取付けることができるように構成されている、請求項１に記載のバッグ組立体。
【請求項４】
前記少なくとも２つの脱着端部は、間隔をおいて配置される、請求項３に記載のバッグ組立体。
【請求項５】
前記少なくとも２つの脱着端部は、ファスナー部材の幅方向にずらして配置される、請求項３又は４に記載のバッグ組立体。
【請求項６】
前記少なくとも２つの脱着端部の間に、前記スライダーへの前記ファスナー部材の取付けを容易にするのに十分な長さの切れ目が設けられる、請求項３乃至５の何れか１項に記載のバッグ組立体。
【請求項７】
前記バッグ組立体は、リュックサック組立体、ヒップバッグ組立体、手提げバッグ組立体又は肩掛けバッグ組立体である、請求項１乃至６に記載のバッグ組立体。
【請求項８】
バッグ本体と、このバッグ本体の表面から凸状に突出するように且つそれに脱着可能に取付けられる凸面部材と、を有することを特徴とするバッグ組立体。
【請求項９】
バッグ本体と、このバッグ本体の表面に脱着可能に取付けられる第１の面部材と、前記バッグ本体の表面に脱着可能に取付けられ且つ前記第１の面部材と交換可能な第２の面部材と、を有することを特徴とするバッグ組立体セット。
【請求項１０】
柔軟な生地で作られたリュック本体と、このリュック本体を身体に装着するためのショルダープロテクターと、を有するリュックサック組立体であって、
前記ショルダープロテクターは、前記リュック本体に脱着可能に連結される後パッド部とこの後パッド部の下方で前記リュック本体に脱着可能に連結される連結部とによって前記リュック本体に脱着可能に取付けられ、前記ショルダープロテクターを前記リュック本体に取付け且つ前記リュック本体を身体に装着したとき、前記後パッド部の一方の面が前記リュック本体の柔軟な生地に押し当てられ且つその反対側の面が装着者の肩部に押し当てられることを特徴とするリュックサック組立体。
【請求項１１】
前記ショルダープロテクターは、前記後パッド部を前記リュック本体に引き寄せるためのストラップを有する、請求項１０に記載のリュックサック組立体。
【請求項１２】
柔軟な生地で作られたバッグ本体と、このバッグ本体を身体に装着するためのウエストプロテクターと、を有するヒップバッグ組立体であって、
前記ウエストプロテクターは、前記バッグ本体の前面とこの前面を覆うように前記バッグ本体から延びるフラップ部材との間に脱着可能に挟持される中央パッド部を有し、前記ウエストプロテクターを前記バッグ本体に取付け且つ前記バッグ本体を身体に装着したとき、前記中央パッド部の一方の面が前記バッグ本体の柔軟な生地に押し当てられ且つその反対側の面が前記フラップ部材を介して装着者の腰部に押し当てられることを特徴とするヒップバッグ組立体。
【発明の詳細な説明】
【０００１】
【発明の属する技術分野】
本発明は、バッグに関し、更に詳細には、バッグ組立体、バッグ組立体セット、リュックサック組立体及びヒップバッグ組立体に関する。
【０００２】
【従来の技術】
従来から、リュックサック、ヒップバッグ、ブリーフケース又はボストンバッグ等の手提げバッグ、又は、トートバッグ又はショルダーバッグ等の肩掛けバッグなどの柔軟な生地で作られたバッグが知られている。今日、これらのバッグは、物を入れて運ぶという機能だけでなく、バッグを身体に装着したり、手で提げたり、肩に掛けたときのファッション性が要求されるようになっている。
【０００３】
【発明が解決しようとする課題】
しかしながら、従来のバッグの配色は、メーカーが設定した数種類に限定されていたため、消費者が自由な感覚で配色を選択することができなかった。例えば、２以上の色を組合せたバッグの１つの色を変えようとしても、その色の組合わせを製造者が用意していなければ、その色の組合わせのバッグを入手することはできなかった。
【０００４】
このため、バッグ全体からみて比較的大きな面積を占めるバッグの一部分、特に、リュックサックの後面収納部や肩掛け部分、ヒップバッグの腰周り部分、ブリーフケースの側面収納部等の色、模様、素材又はそれらの組合わせ等を消費者が自由に選択でき、その変更が容易であることが望ましい。
【０００５】
更に、リュックサックの肩掛け部分やヒップバックの腰周り部分等に関しては、その色等を消費者が自由に選択しても、リュックサックやヒップバック等の装着感が良好であることが望ましい。
【０００６】
一方、製造者が配色の異なる多種類の商品を品揃えすることは、商品に売れ残りが生じた場合に損害が増大するため、製造者にとってコスト的に大きな負担となっていた。
【０００７】
そこで、本発明は、消費者が配色等を自由に選択してそれらを容易に変更でき、しかも、製造者のコスト負担を軽減できることができるバッグ組立体及びバッグ組立体セットを提供することを第１の目的としている。
【０００８】
また、本発明は、消費者が配色等を自由に選択してそれらを容易に変更でき、製造者のコスト負担を軽減することができ、しかも、良好な装着感を確保することができるリュックサック組立体及びヒップバッグ組立体を提供することを第２の目的としている。
【０００９】
【課題を解決するための手段】
上記第１の目的を達成するために、本発明によるバッグ組立体は、バッグ本体と、このバッグ本体の表面に取付けられる面部材と、バッグ本体と面部材とを脱着可能に連結するための脱着手段と、を有し、面部材を脱着手段によってバッグ本体に取付けたとき、面部材とバッグ本体との間に収納部が形成されることを特徴としている。
【００１０】
このように構成された本発明のバッグ組立体においては、取付けたときにバッグ本体との間に収納部が形成される面部材を脱着手段によって取外し、交換することができるので、消費者は、バッグ本体に対する面部材の色、模様、素材又はそれらの組あわせ等を自由に選択し且つ容易に変更することができる。また、色等の異なる面部材の種類を増やすことによって、消費者の配色等の選択範囲を拡大することができる。更に、製造者の側からみれば、配色等の選択が自由なバッグ組立体を提供するためのコストは、配色等を選択できないバッグを提供するためのコストと比較して、面部材の種類を増やすコストが増大するに過ぎないので、配色等の選択範囲を拡大するためのコスト負担を軽減することができる。本発明のバッグ組立体において、面部材をバッグ本体から取外し、バッグ本体を露出させたまま使用しても良い。この場合、面部材で覆われるバッグ本体の部分の色等を変えておけば、消費者は、面部材の脱着することだけにより配色等を選択することが可能になる。
【００１１】
本発明において、好ましくは、面部材は、バッグ本体に対して裏返して取付けることができる。
【００１２】
このような構成による本発明においては、面部材の表と裏に異なる色等を配置することができるので、効率よく配色等のバリエーションを拡大することができる。この場合、面部材の一方の面の色等は、バッグ本体の色等と同じであっても良い。
【００１３】
本発明において、好ましくは、脱着手段は、スライドファスナー組立体を有し、このスライドファスナー組立体は、バッグ本体と面部材のそれぞれに取付けられた互いに係合分離可能なファスナー部材の対と、このファスナー部材対を係合分離するようにファスナー部材対に沿って摺動する少なくとも２つのスライダーと、を有し、ファスナー部材対は、一方の又は他方のファスナー部材をスライダーから脱着することが可能な少なくとも２つの脱着端部を有し、一の脱着端部において一方又は他方のファスナー部材を一のスライダーに取付けた後、他の脱着端部において一方又は他方のファスナー部材を他のスライダーに容易に取付けることができるように構成されている。
【００１４】
このような構成による本発明においては、バッグ本体と面部材とは、スライドファスナー組立体を使用して容易に脱着される。互いに係合分離可能なファスナー部材がバッグ本体と面部材とに取付けられ、これらのファスナー部材に沿ってスライダーを摺動させることにより、ファスナー部材の対が係合分離する。スライダーを摺動させて、脱着端部に移動させたとき、ファスナー部材対のうちの何れか一方のファスナー部材をスライダーから脱着することができる。スライダーは、少なくとも２つ設けられており、それに応じて、脱着端部も少なくとも２つ設けられる。スライダーを少なくとも２つ設けることにより、面部材をバッグ本体に取付けることによって形成される収納部の開口位置を自由に配置することができる。スライドファスナー組立体は、１つであっても良いし、２つ以上であっても良い。また、例えば２つの脱着端部が隣接している場合等、一の脱着端部において一方又は他方のファスナー部材を一のスライダーに取付けた後に、他の脱着端部において一方又は他方のファスナー部材を他のスライダーに取付ける際、後者の取付けが困難な場合があるが、本発明では、後者の取付けが容易に構成されているので、面部材を容易に変更することが可能になる。
【００１５】
本発明において、好ましくは、少なくとも２つの脱着端部は、間隔をおいて配置される。
【００１６】
このような構成による本発明においては、脱着端部が間隔をおいて配置されているので、脱着端部の間の面部材及び／又はバッグ本体を撓ませることができ、それにより、上述した他の脱着端部において一方又は他方のファスナー部材を他のスライダーに容易に取付けることが可能になる
【００１７】
本発明において、好ましくは、少なくとも２つの脱着端部は、ファスナー部材の幅方向にずらして配置される。
【００１８】
このような構成による本発明においては、脱着端部がファスナー部材の幅方向にずらして配置されているので、ずらして配置された脱着端部の近傍にある面部材及び／又はバッグ本体を撓ませることができ、それにより、上述した他の脱着端部において一方又は他方のファスナー部材を他のスライダーに容易に取付けることが可能になる。
【００１９】
本発明において、好ましくは、少なくとも２つの脱着端部の間に、スライダーへのファスナー部材の取付けを容易にするのに十分な長さの切れ目が設けられる。
【００２０】
このような構成による本発明においては、脱着端部の間に切れ目が設けられているので、切れ目部分の近傍の面部材及び／又はバッグ本体を撓ませることができ、それにより、上述した他の脱着端部において一方又は他方のファスナー部材を他のスライダーに容易に取付けることが可能になる。
【００２１】
本発明において、好ましくは、バッグ組立体は、リュックサック組立体、ヒップバッグ組立体、手提げバッグ組立体又は肩掛けバッグ組立体である。
【００２２】
また、上記第１の目的を達成するために、本発明によるバッグ組立体は、バッグ本体と、このバッグ本体の表面から凸状に突出するように且つそれに脱着可能に取付けられる凸面部材と、を有することを特徴としている。
【００２３】
このような構成された本発明によれば、上述のバッグ組立体と同様の効果を有する。例えば、本発明のバッグ組立体は、凸面部材を取外し、交換することができるので、消費者は、バッグ本体に対する凸面部材の色、模様、素材又はそれらの組合わせ等を自由に選択し且つ容易に変更することができ、色等の異なる面部材の種類を増やすことによって、消費者の配色等の選択範囲を拡大することができる。また、製造者の側からみれば、配色等の選択が自由なバッグ組立体を提供するためのコスト負担を軽減することができる。更に、凸面部材を構成要素としているので、バッグ本体の表面から突出する面を構成することができ、それにより、バッグ組立体の外観形状のアクセントにすることができると共に、配色等の効果を増大させることができる。更に、凸面部材をほぼ平面をなす平面部材と交換することによって、消費者がバッグ組立体の外観形状を変化させることも可能になる。
【００２４】
また、上記第１の目的を達成するために、本発明によるバッグ組立体セットは、バッグ本体と、このバッグ本体の表面に脱着可能に取付けられる第１の面部材と、バッグ本体の表面に脱着可能に取付けられ且つ第１の面部材と交換可能な第２の面部材と、を有することを特徴としている。
【００２５】
このような構成された本発明によれば、上述のバッグ組立体と同様の効果を有する。例えば、第１の面部材と第２の面部材とを交換することによって、消費者は、バッグ本体に対する面部材の色、模様、素材又はそれらの組あわせ等を自由に選択し且つ容易に変更することができ、バッグの配色等を自由に選択することができる。更に、第３の面部材を追加して、消費者の配色等の選択範囲を拡大しても良い。
【００２６】
又、上記第２の目的を達成するために、本発明によるリュックサック組立体は、柔軟な生地で作られたリュック本体と、このリュック本体を身体に装着するためのショルダープロテクターと、を有するリュックサック組立体であって、ショルダープロテクターは、リュック本体に脱着可能に連結される後パッド部とこの後パッド部の下方でリュック本体に脱着可能に連結される連結部とによってリュック本体に脱着可能に取付けられ、ショルダープロテクターをリュック本体に取付け且つリュック本体を身体に装着したとき、後パッド部の一方の面がリュック本体の柔軟な生地に押し当てられ且つその反対側の面が装着者の肩部に押し当てられることを特徴としている。
【００２７】
このように構成された本発明は、ショルダープロテクターがリュック本体に脱着可能に取付けられているので、消費者は、色等の異なるショルダープロテクターに容易に交換することができる。また、後パッド部の一方の面がリュック本体の柔軟な生地に押し当てられ且つその反対側の面が装着者の肩部に押し当てられるので、装着者は、良好な装着感を得ることができる。
【００２８】
本発明において、好ましくは、ショルダープロテクターは、後パッド部をリュック本体に引き寄せるためのストラップを有する。
【００２９】
このような構成による本発明においては、リュック本体とショルダープロテクターとの一体感が増し、装着者は、更に良好な装着感を得ることができる。
【００３０】
また、上記第２の目的を達成するために、本発明によるヒップバッグ組立体は、柔軟な生地で作られたバッグ本体と、このバッグ本体を身体に装着するためのウエストプロテクターと、を有するヒップバッグ組立体であって、ウエストプロテクターは、バッグ本体の前面とこの前面を覆うようにバッグ本体から延びるフラップ部材との間に脱着可能に挟持される中央パッド部を有し、ウエストプロテクターをバッグ本体に取付け且つバッグ本体を身体に装着したとき、中央パッド部の一方の面がバッグ本体の柔軟な生地に押し当てられ且つその反対側の面がフラップ部材を介して装着者の腰部に押し当てられることを特徴としている。
【００３１】
このように構成された本発明によれば、ウエストプロテクターがバッグ本体から脱着可能にバッグ本体に取付けられているので、消費者は、色等の異なるウエストプロテクターに容易に交換することができる。また、中央パッド部の一方の面がリュック本体の柔軟な生地に押し当てられ且つその反対側の面がフラップ部材を介して装着者の腰部に押し当てられるので、装着者は、良好な装着感を得ることができる。
【００３２】
【発明の実施の形態】
以下、図面を参照して、本発明によるバッグ組立体の実施形態を説明する。以下の説明において、バッグ組立体を身体に装着したときを基準にして、用語「前」及び「後」を使用する。また、用語「脱着式バックル」は、脱着可能な一対の係合部材からなるバックルをいう。
【００３３】
最初に、本発明によるバッグ組立体の第１の実施形態であるリュックサック組立体を説明する。図１は、本発明によるリュックサック組立体の右側面図であり、図２は、その正面図である。
【００３４】
図１に示すように、リュックサック組立体１は、袋状のリュック本体２と、リュック本体２を身体に装着する、即ち、リュック本体２を背負うためのショルダープロテクター４と、を有している。リュック本体２は、柔軟な生地で作られている。リュック本体２の上には、その蓋として兼用される上バッグ６が設けられ、リュック本体２の後面８には、フェース１０が設けられている。フェース１０及びショルダープロテクター４は、後で詳細に説明するように、リュック本体２に脱着可能に取付けられている。
【００３５】
図１及び図２に示すように、上バッグ６は、リュック本体２の前面１２の上縁に縫い付けられていると共に、上バッグ６には、ループ状ストラップ１４が左右に１つずつ縫い付けられている。ループ状ストラップ１４には、上下方向に脱着可能な脱着式バックル１６が取付けられている。脱着式バックル１６は、その上部に、互いに向って内方に延び且つループ状ストラップ１４に通されている一対の横部材１８を有し、これらの横部材１８の内方端間に隙間が形成されている。横部材１８に通されているループ状ストラップ１４を、横部材１８の内方端間の隙間から抜き取ることによって、脱着式バックル１６をループ状ストラップ１４から取外すことができる。脱着式バックル１６の下部には、後面ストラップ２０が取付けられている。
【００３６】
後面ストラップ２０は、脱着式バックル１６を下方に引張ることができるように取付けられた上端部を有し、後面ストラップ２０の下方端部は、リュック本体２の後面８の下部に固着されたバックル２２に通された後、物を保持することができるループ２４を形成するように、再びこのバックル２２に通されている。また、リュック本体２には、その上端部に形成された上開口２６を閉じるための上開口ストラップ組立体２８が設けられている。この実施形態では、上開口ストラップ組立体２８は、一方の端が上開口２６の前側線に取付けられ且つ他方の端に脱着式バックル３０が取付けられた前側ストラップ３２と、一方の端が脱着式バックル３０に取付けられ且つ他方の端が上開口２６の後側線に取付けられた後側ストラップ３４とからなる。
【００３７】
上バッグ６は、開閉可能なポケット３６と、上バッグ６との間に物を挟んで保持することができるゴムバンド３８とを有し、ゴムバンド３８は、複数の脱着式バックル４０によって上バッグ６から取外すことが可能である。また、リュック本体２の各側面４２には、開閉可能なポケット４４と、リュック本体２の後側上部から前側下部に延びる側面ストラップ４６とが設けられており、この側面ストラップ４６を分離するための脱着式バックル４８が、側面ストラップ４６の中間に設けられている。また、リュック本体２の前面１２の上部には、両端部が面ファスナー等によってリュック本体から脱着可能な取っ手５０が設けられ（図７参照）、リュック本体２の底面５２には、レインコートポケット（図示せず）が設けられている。
【００３８】
次に、図２及び図３を参照して、リュック本体２から脱着可能なフェース１０について詳細に説明する。図３は、フェースをリュック本体に取付ける状態を示すリュック本体の部分拡大図である。
【００３９】
図２に示すように、リュック本体２の後面８には、面部材、即ち、フェース１０が後面８の一部を覆うように脱着可能に取付けられ、フェース１０とリュック本体２との間の空間に収納部が形成されている。フェース１０の正面形状は、上下方向中央部を横方向に膨らませた矩形である。フェース１０とリュック本体２とを脱着可能に連結するための２対のスライドファスナー組立体５６が設けられ、スライドファスナー組立体５６は、フェース１０をリュック本体２に取付けた状態において、フェース１０の左右の周縁部に沿って配置される。
【００４０】
図３に示すように、各スライドファスナー組立体５６は、フェース１０及びリュック本体２にそれぞれ取付けられた互いに係合分離可能なファスナー部材５８ａ、５８ｂの対と、これらのファスナー部材５８ａ、５８ｂの対を係合分離するようにファスナー部材５８ａ、５８ｂの対に沿って摺動するスライダー６０とを有する。ファスナー部材５８ａ及び５８ｂは、フェース１０側のファスナー部材５８ａをスライダー６０から脱着することが可能な脱着端部６２を有し、スライダー６０を、ファスナー部材５８ａ、５８ｂを分離させる方向に脱着端部６２まで摺動させることによって、スライダー６０とリュック本体２側のファスナー部材５８ｂとを係合させたまま、フェース１０側のファスナー部材５８ａをスライダー６０から脱着することができる。スライダー６０は、フェース１０側のファスナー部材５８ａを受入れるための挿入口６４を有し、フェース１０側のファスナー部材５８ａの脱着端部６２には、挿入口６４に挿入される挿入体６６が設けられている。スライドファスナー組立体５６は、フェース１０をリュック本体２に対して裏返して取付けられる種類のものであることが好ましい。
【００４１】
また、フェース１０の上下の縁部とリュック本体２との間には、隙間６８があり、この隙間６８を覆うために、リュック本体２から延びる横長のテープ７０がフェース１０の上下の縁部に重なっている（図２参照）。フェース１０の上下の縁部と横長のテープ７０とは、それらに各々取付けられた一対の面ファスナー７２によって脱着可能に連結されている。フェース１０をリュック本体２に対して裏返して取付けることができるように、フェース１０の上下の縁部の裏面にも、そのおもて面側と同じ面ファスナー７２が取付けられていることが好ましい。
【００４２】
図２に示すように、２つのスライドファスナー組立体５６のファスナー部材５８ａ、５８ｂの脱着端部６２は、スライダー６０を下方に移動させたときにファスナー部材５８ａ、５８ｂが分離するようにリュック本体２の下側に配置され、フェース１０の上下の縁部の長さだけ間隔をおいている。
【００４３】
次に、リュック本体２へのフェース１０の取付け方法を説明する。
【００４４】
一方のスライドファスナー組立体５６のファスナー部材５８ａの挿入体６６をスライダー６０の挿入口６４に挿入して、そのスライドファスナー組立体５６のファスナー部材５８ａ、５８ｂの脱着端部６２を係合させて取付けた後、他方のスライドファスナー組立体５６のファスナー部材５８ａの挿入体６６をスライダー６０の挿入口６４に移動させて挿入し、そのスライドファスナー組立体５６のファスナー部材５８ａ、５８ｂの脱着端部６２を係合させて取付ける。次いで、両方のスライダー６０を上方に移動させ、ファスナー部材５８ａ、５８ｂをフェース１０の左右の周縁部にわたって係合させる。更に、横長のテープ７０をフェース１０の上下の縁部に重ね、それらを面ファスナー７２で連結する。それにより、フェース１０をリュック本体２に取付ける。フェースの取外しは、逆の手順で行えば良い。
【００４５】
本実施形態においては、２つのスライドファスナー組立体５６の脱着端部６２が、フェース１０の上下の縁部の長さだけ間隔をおいて配置されているので、リュック本体２へのフェース１０の取付けが容易である。もし脱着端部６２が間隔をおかずに隣接しているならば、一方のスライドファスナー組立体５６のファスナー部材５８ａの挿入体６６をスライダー６０の挿入口６４に挿入した後に、他方のスライドファスナー組立体５６のファスナー部材５８ａの挿入体６６をスライダー６０の挿入口６４に移動させることは、後者のスライドファスナー組立体５６のファスナー部材５８ａ、５８ｂを折り曲げるようにしなければならないので困難である。これに対し、本実施形態のように、脱着端部６２が間隔をおいている場合、脱着端部６２の間のリュック本体２及び／又はフェース１０を撓ませるようにすれば、後者のスライドファスナー組立体５６の挿入体６６をスライダー６０の挿入口６４に容易に移動させて挿入することができ、その結果、フェース１０の取付け及び交換が容易になる（図３参照）。
【００４６】
次に、図１及び図４乃至図７を参照して、リュック本体２から脱着可能なショルダープロテクター４を詳細に説明する。図４は、ショルダープロテクターの正面図であり、図５は、その背面図である。また、図６は、ショルダープロテクターを取外したリュック本体の背面図であり、図７は、ショルダープロテクターを取付けたリュック組立体の背面図である。
【００４７】
図１、図４及び図５に示すように、ショルダープロテクター４は、リュック本体２の前面１２上部に脱着可能に面取付けされるＵ字型の後パッド部７６と、その前方に配置された２つの前パッド部７８を有する。後パッド部７６は、２つの直立部８０と中央部８２とを有し、前パッド部７８は、直立部８０の上方端から前方に湾曲して下方に延びている。後パッド部７６の中央部８２以外、両パッド部７６、７８は、ショルダープロテクター４を身体に装着したときに身体への装着感を向上させるためのクッション素材を内蔵している。後パッド部７６の中央部８２は、それからそれぞれ上方向及び下方向に延びる上固定バンド８４及び下固定バンド８６を有し、上固定バンド８４及び下固定バンド８６は、それらを前方に折り畳んで中央部８２に重ねることができる折り目８８を有している。また、中央部８２、上固定バンド８４及び下固定バンド８６は、それらを順に重ねたときに互いに脱着可能に連結するための面ファスナー９０を有している。
【００４８】
また、図６に示すように、上固定バンド８４又は下固定バンド８６を上下方向に挿入可能なループを形成する複数の横帯９２が、リュック本体２の前面１２に設けられ、リュック本体２の上下方向に間隔をおいて配列されている。図７に示すように、ショルダープロテクター４がリュック本体２に取付けられているとき、上固定バンド８４及び下固定バンド８６は、適当な横帯９２のループに通され、横帯９２を巻き込むように折り畳んた状態で、面ファスナー９０によって互いに連結されている。
【００４９】
また、図１に示すように、後パッド部７６と前パッド部７８との接合部近傍には、縦ストラップ９４が縫い付けられ、その一方の端部は、後方に延びてバックル９６及びリュック本体２のループ部分９８に通された後、再びバックル９６に通され、後パッド部７６をリュック本体２に引き寄せている。図１は、リュック本体２の前面１２と後パッド部７６との間に空間がある状態を示しているけれども、身体へのリュック本体２の装着の際には、縦ストラップ９４が引張られ、後パッド部７６がリュック本体２の前面１２に押し当てられる状態にする。
【００５０】
図５及び図７に示すように、縦ストラップ９４の他方の側は、前パッド部７８に沿って下方に延び、複数箇所で前パッド部７８に縫い付けられている。２つの前パッド部７８が左右に広がることを防止する横ストラップ組立体１００が縦ストラップ９４と前パッド部７８との間の縫い付けられていない部分に上下移動可能に通されている。横ストラップ組立体１００は、その中央部に設けられた脱着式バックル１０２と、前パッド部７８の近傍に設けられたバックル１０４とを有する。横ストラップ組立体１００は、そのストラップ部分をバックル１０４から引抜くことにより、前パッド部７８から脱着可能である。
【００５１】
ショルダープロテクター４の前パッド部７８の下方端には、連結ストラップ組立体１０６が連結されている。連結ストラップ組立体１０６は、両端に脱着式バックル１０８、１１０を有し、それぞれ、前パッド部７８の下方端及びリュック本体２の前側下部に脱着可能に連結されている。
【００５２】
次に、ショルダープロテクター４の取付け方法を説明する。
【００５３】
ショルダープロテクター４が装着者に適した取付け高さになるように、リュック本体２の前面１２の複数の横帯９２の中から適当な横帯９２を選択し、その横帯９２に上固定ベルト８４及び下固定ベルト８６を通す。次いで、上固定ベルト８４及び下固定ベルト８６を折り畳んで、横帯９２を巻き込み、中央部８２、上固定ベルト８４及び下固定ベルト８６を面ファスナー９０によって連結する。それにより、ショルダープロテクター４がリュック本体２に対して位置決め固定される。次いで、縦ストラップ９４をバックル９６及びリュック本体２のループ部材９８に通して引張り、後パッド部７６をリュック本体２をに引き寄せる。更に、連結ストラップ組立体１０６の脱着式バックル１０８、１１０をそれぞれ、前パッド部７８の下方端及びリュック本体２の前側下部に連結し、それにより、ショルダープロテクター４をリュック本体２に取付ける。ショルダープロテクター４の取外しは、逆の手順で行えば良い。
【００５４】
本実施形態においては、身体へのリュック本体２の装着時、ショルダープロテクター４の後パッド部７６は、その一方の面全体がリュック本体２の前面１２に押し当てられ、その反対側の面全体が装着者の肩後部に押し当てられるので、リュック組立体の良好な装着感を達成することができる。
【００５５】
上述した本発明の第１の実施形態であるリュック組立体１によれば、ショルダープロテクター４、フェース１０、脱着式バックル１６、ゴムバンド３８、取っ手５０、横ストラップ組立体１００、連結ストラップ組立体１０６等の種々の構成要素が容易に脱着可能である。このため、色、模様、素材又はそれらの組合わせの異なる脱着可能な構成要素を準備しておくことにより、消費者は、様々な組合わせを自由に選択し且つそれらを容易に変更することができる。
【００５６】
特に、フェース１０の色、模様、素材又はそれらの組合わせは、リュック本体２のものと同じであっても良いし、異なっていても良い。フェース１０を裏返してリュック本体２に取付けられることが好ましい。また、フェース１０の素材は、リュック本体２と同じ軟らかい生地素材であっても良いし、ビニール素材又はモールド成形素材のような異なる素材であっても良い。モールド成形素材を選択すれば、収納物への衝撃を軽減することができる。また、フェース１０を立体的に見せるために、又は、収納部分を大きくするために、フェース１０は、リュック本体２の後面８から突出する凸面をなすのが好ましいが、ほぼ平面であっても良い。また、フェース１０とリュック本体２との間の収納部の開口は、スライドファスナー組立体５６によって構成されていも良いし、面ファスナー７２を有する横長のテープ７０によって構成されても良いし、その両方であっても良い。
【００５７】
また、製造者は、組合わせに必要な構成要素だけを追加して製造すればよいので、消費者が配色等を選択可能なリュックサック組立体を提供するためのコスト負担を軽減することができる。更に、並列的な製造が可能になるので、納期短縮が可能になる。また、製造者は、これらの構成要素を組合わせたリュックサック組立体を製造しても良いし、かかるリュック組立体にフェース等の交換部品を追加したリュック組立体セットを製造しても良い。
【００５８】
また、縦ストラップ９４のうち後パッド部７６をリュック本体２に引き寄せる部分は、省略されていても良いが、リュック本体２と後パッド部７６との一体感を増すために、かかる部分を省略しないことが好ましい。
【００５９】
次に、本発明のバッグ組立体の第２の実施形態であるヒップバッグ組立体を説明する。図８は、本発明によるヒップバッグ組立体の右側面図であり、図９は、その正面図である。
【００６０】
図８に示すように、ヒップバッグ組立体１３０は、バッグ本体１３２と、バッグ本体１３２を身体に装着する、即ち、バッグ本体１３２を腰の周りに支持するためのウエストプロテクター１３４と、を有している。バッグ本体１３２は、柔軟な生地で作られており、ウエストプロテクター１３４は、後で詳細に説明するように、バッグ本体１３２に脱着可能に取付けられている。
【００６１】
図８及び図９に示すように、バッグ本体１３２は、開閉可能な本体開口１３６と、バッグの後面１３８との間に物を挟んで保持することができるゴムバンド１４０と、側面ポケット１４２と、バッグ本体１３２の上部に設けられた取っ手１４４と、レインコート用底面ポケット（図示せず）とを有している。ゴムバンド１４０は、複数の脱着式バックル１４６によって脱着可能にバッグ本体１３２に取付けられている。取っ手１４４は、その両端部に設けられたスナップ式留め具１４８によって脱着可能にバッグ本体１３２に取付けられている。
【００６２】
次に、図８及び図１０乃至図１２を参照して、バッグ本体１３２に脱着可能に取付けられているウエストプロテクター１３４を詳細に説明する。図１０は、ウエストプロテクターの平面図である。また、図１１は、バッグ本体の側面図であり、図１２は、その背面図である。
【００６３】
図１０に示すように、ウエストプロテクター１３４は、中央パッド部１５０と、その両側から延びる２つの横パッド部１５２とを有している。両パッド部１５０、１５２は、ウエストプロテクター１３４を身体に装着したときに身体への装着感を向上させるためのクッション素材を内蔵している。２つの横パッド部１５２の端部同士は、前ストラップ組立体１５４によって連結されている。前ストラップ組立体１５４は、その両端部に脱着式バックル１５６を有し、前ストラップ組立体１５４のうち脱着式バックル１５６によって挟まれた部分は、横パッド部１５２から脱着可能である。
【００６４】
図８及び図１０に示すように、横パッド部１５２の端部から横パッド部１５２に沿って後方に側面ストラップ１５８が延び、側面ストラップ１５８は、横パッド部との間に側面ループ孔１６０を形成した後、脱着式バックル１６２の前方端部に通されている。この側面ループ孔１６０には、後述するように、リュックサック組立体１の側面ストラップ４６を通すことが可能であり、また、この側面ループ孔１６０を利用して、ＭＤ再生器等を提げることも可能である。側面ストラップ１５８の先端部には、面ファスナー１６４が設けられており、脱着式バックル１６２の前側端部に通された側面ストラップ１５８は、折り返され、脱着可能なループを形成する。側面ストラップ１５８の面ファスナー１６４を取外して、側面ストラップ１５８を引抜くことにより、脱着式バックル１６２は、側面ストラップ１５８から脱着可能である。また、別の側面ストラップ１６６が脱着式バックル１６２の後側端部から２つの方向に延び、それぞれ、バッグ本体１３２に連結されたバックル１６８に通されている。それにより、ウエストプロテクター１３４をバッグ本体１３２に向って引き寄せることが可能である。
【００６５】
図１１及び図１２に示すように、ウエストプロテクター１３４をバッグ本体１３２に取付けるためのフラップ１７０が、バッグ本体１３２の前面１７２を覆うようにバッグ本体１３２の上部から下方に延びている。このフラップ１７０は、それとバッグ本体１３２の前面１７２との間にウエストプロテクター１３４の中央パッド部１５０を脱着可能に挟持することが可能である（図８参照）。この中央パッド部１５０の挟持を確実にするための面ファスナー１７４が、バッグ本体１３２の前面、中央パッド部１５０の前面及び後面、フラップ１７０の後面に設けられている。フラップ１７０の前面１７６の上部には、帯ベルトで横方向に形成された３つの上ループ１７８が設けられ、バッグ本体１３２の前面１７２の下部には、外側の上ループ１７８と整列するように帯ベルトで形成された２つの下ループ１８０が設けられている。また、フラップ１７０の先端部とバッグ本体１３２の前面下部とに、それらを脱着可能に連結する面ファスナー１８２が設けられている。
【００６６】
ウエストプロテクター１３４をバッグ本体１３２に取付けるためには、ウエストプロテクター１３４の中央パッド部１５０を、バッグ本体１３２の前面１７２とフラップ１７０との間に挟み、それらを面ファスナー１７４で連結する。更に、フラップ１７０の先端部とバッグ本体１３２の前面下部とを、面ファスナー１８２によって連結する。次いで、バッグ本体１３２側とウエストプロテクター１３４側に分離している脱着式バックル１６２を連結する。それにより、ウエストプロテクター１３４をバッグ本体１３２に取付ける。ウエストプロテクター１３４の取外しは、逆の手順で行えば良い。
【００６７】
また、本実施形態のヒップバッグ組立体１３０は、上述のリュックサック組立体１に取付けることが可能であり、これを、図１３を参照して説明する。図１３は、ヒップバッグを取付けたリュック組立体の正面図である。
【００６８】
ヒップバッグ組立体１３０をリュックサック組立体１に取付けるためには、リュック組立体１の後面ストラップ２０をバッグ本体１３２の外側の上ループ１７８と下ループ１８０とに通し、リュック本体２の上開口２６に設けられている後側ストラップ３４をバッグ本体１３２の中央の上ループ１７８に通す。更に、リュックサック組立体１の側面ストラップ４６をウエストプロテクター１３４の側面ループ孔１６０に通す（図示せず）。それにより、ヒップバッグ組立体１３０をリュックサック組立体１に安定的に取付けることができる。
【００６９】
上述した本発明の第２の実施形態であるヒップバッグ組立体によれば、ウエストプロテクター１３４、ゴムバンド１４０、取っ手１４４、前ストラップ組立体１５４、脱着式バックル１６２、側面ストラップ１６６等の種々の構成要素が容易に脱着可能である。このため、本発明の第１の実施形態であるリュックサック組立体１と同様、消費者は、上述の様々な組合わせを自由に選択し且つそれらを容易に変更することができる。また、製造者は、脱着可能な構成要素の種類を増やすことにより、消費者に自由な配色の選択が可能なバッグ組立体を提供することができるため、かかるバッグ組立体を提供するためのコスト負担を軽減することができる。
【００７０】
また、本実施形態ににおいては、中央パッド部の一方の面がリュック本体の柔軟な生地に押し当てられ且つその反対側の面がフラップ部材を介して装着者の腰部に押し当てられるので、装着者は、良好な装着感を得ることができる。
【００７１】
次に、本発明のバッグ組立体の第３の実施形態であるブリーフケース組立体を説明する。図１４は、本発明によるブリーフケース組立体の斜視図である。
【００７２】
図１４に示すように、ブリーフケース組立体２００は、ほぼ矩形の本体正面２０２を有するケース本体２０４と、その正面２０２に脱着可能に取付けられる面部材、即ち、フェース２０６とを有している。
【００７３】
ケース本体２０４は、スライドファスナー２０８によって開閉可能であり、ケース本体２０４の上部に設けられている２つの取っ手２１０は、ホルダー２１２によって１つにまとめられている。ホルダー２１２は、両端部にスナップ係合部材を有し、それを係合させることによってリング形状をなしている。スナップ係合部材を外すことにより、ホルダー２１２は、取っ手２１０から取外すことが可能である。また、ケース本体２０４には、ブリーフケース２００を肩から提げるためのショルダーストラップ２１４が取付けられている。ショルダーストラップ２１４は、両端部に取外し可能な係合部材を有し、ショルダーストラップ２１４をケース本体２０４から取外すことが可能である。
【００７４】
フェース２０６は、ケース本体２０４の正面２０２とほぼ同じ輪郭を有するフェース正面２１６を有している。フェース２０６がケース本体２０４に取付けられたとき、フェース２０６とケース本体２０４との間の空間に収納部が形成される。フェース２０６とケース本体２０４とを脱着可能に連結するスライドファスナー組立体２１８が設けられ、フェース２０６をケース本体２０４に取付けた状態において、スライドファスナー組立体２１８は、ケース本体２０４及びフェース２０６の周縁部に沿ってそれを一周するように配置されている。
【００７５】
次に、図１４乃至１８を参照して、スライドファスナー組立体２１８を詳細に説明する。図１５は、フェースをケース本体に取付ける状態を示すブリーフケース組立体２００の部分拡大図である。図１６は、図１４のブリーフケース組立体の右側面図であり、図１７は、その左側面図であり、図１８は、その底面図である。
【００７６】
図１５に示すように、スライドファスナー組立体２１８は、フェース２０６及びケース本体２０４にそれぞれ取付けられた互いに係合分離可能なファスナー部材２２０ａ、２２０ｂの対と、これらのファスナー部材２２０ａ、２２０ｂの対を係合分離するようにファスナー部材２２０ａ、２２０ｂの対に沿って摺動する２つのスライダー２２２ａ、２２２ｂとを有する。ファスナー部材２２０ａ及び２２０ｂは、フェース２０６側のファスナー部材２２０ａ及びケース本体２０４側のファスナー部材２２０ｂをそれぞれスライダー２２２ａ及び２２２ｂから脱着することが可能な２つの脱着端部２２４ａ、２２４ｂを有する。スライダー２２２ａを、ファスナー部材２２０ａ、２２０ｂを分離させる方向に脱着端部２２４ａまで摺動させることによって、スライダー２２２ａとケース本体２０４側のファスナー部材２２０ｂとを係合させたまま、フェース２０６側のファスナー部材２２０ａをスライダー２２２ａから脱着することができる。また、スライダー２２２ｂを、ファスナー部材２２０ａ、２２０ｂを分離させる方向に脱着端部２２４ｂまで摺動させることによって、スライダー２２２ｂとフェース２０６側のファスナー部材２２０ａとを係合させたまま、ケース本体２０４側のファスナー部材２２０ｂをスライダー２２２ｂから脱着することができる。スライダー２２２ａ及び２２２ｂはそれぞれ、ファスナー部材２２０ａ及び２２０ｂを受入れるための挿入口２２６ａ、２２６ｂを有し、ファスナー部材２２０ａの脱着端部２２４ａ及びファスナー部材２２０ｂの脱着端部２２４ｂにはそれぞれ、挿入口２２６ａ、２２６ｂに挿入される挿入体２２８ａ、２２８ｂが設けられている。
【００７７】
図１４に示すように、スライドファスナー組立体２１８の脱着端部２２４ａ、２２４ｂは、フェース２０６及びケース本体２０４の底面の中央部に設けられている。２つのスライダー２２２ａ、２２２ｂを、ファスナー部材２２０ａ、２２０ｂを係合させる方向に摺動させて、両スライダー２２２ａ、２２２ｂが出会うとき、スライドファスナー組立体２１８全体が係合する。スライダー２２２ａと２２２ｂの出会う位置を変えることによって、スライドファスナー組立体２１８の開口位置を変えることができる。
【００７８】
図１６に示すように、ブリーフケース２００の右側面のケース本体２０４の下部に、スライドファスナー組立体２１８に隣接して三角形状のケース側まち２３０が設けられ、図１７に示すように、ブリーフケース２００の左側面のフェース２０６の下部に、スライドファスナー組立体２１８に隣接して三角形状のフェース側まち２３２が設けられている。また、図１８に示すように、これらのまち２３０、２３２は、それらの底面側の幅を保ったままブリーフケース２００の底面に延び、スライドファスナー組立体２１８の両端部で終っている。それにより、スライドファスナー組立体２１８の両端部、即ち、ファスナー部材２２０ａ及び２２０ｂの脱着端部２２４ａと２２４ｂとは、ファスナー部材２２０ａ、２２０ｂの幅方向にずらされている。ケース側まち２３０及びフェース側まち２３２によって、スライドファスナー組立体２１８は、よじれることなしに、ケース本体２０４及びフェース２０６の周縁部を一周している。また、脱着端部２２４ａと２２４ｂとの間には、それらを分離する切れ目２３４が設けられているのが好ましい。
【００７９】
ケース本体２０４にフェース２０６を取付けるためには、例えば、ケース本体２０４側の挿入体２２８ｂをフェース２０６側のスライダー２２２ｂに取付けた後、フェース２０６側の挿入体２２０ａをケース本体２０４側のスライダー２２２ａの挿入口２２６ａに移動させて挿入する。次いで、両方のスライダー２２２ａ、２２２ｂを摺動させ、スライドファスナー組立体２１８を係合させて閉じる。フェース２０６の取外しは、逆の手順で行えば良い。
【００８０】
本実施形態においては、フェース部材２２０ａ及び２２０ｂの脱着端部２２４ａと２２４ｂとが、フェース部材２２０ａ及び２２０ｂの幅方向にずらされて配置されているので、ケース本体２０４へのフェース２０６の取付けが容易である。もし脱着端部２２４ａと２２４ｂとが幅方向にずらされておらずに隣接していれば、スライダー２２２ｂに挿入体２２８ｂを挿入した後に、ファスナー部材２２０ａの挿入体２２８ａをファスナー部材２２０ｂに係合しているスライダー２２２ａの挿入口２２６ａに移動させることは、ファスナー部材２２０ａ及び２２０ｂをを折り曲げるようにしなければならないので困難である。これに対し、本実施形態のように、脱着端部２２４ａと２２４ｂとがファスナー部材２２０ａ、２２０ｂの幅方向にずらされている場合、脱着端部２２４ａ、２２４ｂの近傍のケース側まち２３０、フェース側まち２３２、ケース本体２０４及びフェース２０６を撓ませるようにすれば、ファスナー部材２２０ａの挿入体２２８ａをファスナー部材２２０ｂに係合しているスライダー２２２ａの挿入口２２６ａに容易に移動させて挿入することができ、その結果、フェース２０６の取付け及び交換が容易になる。また、脱着端部２２４ａと２２４ｂとの間には、それらを分離する切れ目２３４が設けられているので、脱着端部２２４ａ、２２４ｂの近傍のケース側まち２３０及びフェース側まち２３２を撓ませることが更に容易になる。
【００８１】
上述した本発明の第３の実施形態であるブリーフケース組立体２００によれば、フェース２０６、ホルダー２１２、ショルダーストラップ２１４等の種々の構成要素が容易に脱着可能である。このため、本発明の第１の実施形態であるリュックサック組立体１と同様、消費者は、上述の様々な組合わせを自由に選択し且つそれらを容易に変更することができる。特に、フェース２０６の色、模様、素材又はそれらの組合わせは、ケース本体２０４のものと同じであっても良いし、異なっていても良い。また、フェース２０６の素材は、ケース本体２０４と同じ軟らかい生地素材であっても良いし、ビニール素材又はモールド成形素材のような異なる素材であっても良い。モールド成形素材を選択すれば、収納物への衝撃を軽減することができる。
【００８２】
また、製造者は、組合わせに必要な構成要素だけを追加して製造すればよいので、消費者が配色等を選択可能なブリーフケース組立体２００のコスト負担を軽減することができる。更に、並列的な製造が可能になるので、納期短縮が可能になる。また、製造者は、これらの構成要素を組合わせたブリーフケース組立体２００を製造しても良いし、ブリーフケース組立体２００にフェース２０６等の交換部品を追加したブリーフケース組立体セットを製造しても良い。
【００８３】
以上、本発明によるバッグ組立体の実施形態を説明したけれども、本発明は、以上の実施形態に限定されることなく、特許請求の範囲に記載された発明の範囲内で種々の変更が可能であり、それらも本発明の範囲内に包含されることはいうまでもない。
【００８４】
上記実施形態では、フェース１０、２０６をそれぞれ、リュックサック組立体１及びブリーフケース組立体２００に取付けたが、フェースをボストンバッグ等の手提げバッグ、トートバッグ又はショルダーバッグ等の肩掛けバッグなどの他のバッグ組立体に取付けても良い。
【００８５】
また、上記リュックサック組立体１及びブリーフケース組立体２００の実施形態において、フェース１０、２０６の形状を例示的に示したが、フェース１０、２０６の形状は任意であり、丸みのついた矩形、円形、長円形等の形状であっても良い。
【００８６】
また、フェース１０、２０６のリュック本体２又はケース本体２０４への取付けるために、スライドファスナー組立体５６、２１８の代わりに、面ファスナーを使用しても良いし、それらを組合わせても良い。
【００８７】
また、フェース１０、２０６に採用されるスライドファスナー組立体５６、２１８の数は、ブリーフケース組立体２００のように１つであっても良いし、リュックサック組立体１のように２つであっても良いし、それ以上であっても良い。これらのスライドファスナー組立体５６、２１８は、ブリーフケース組立体２００のようにフェース２０６の周縁部に沿って一周していても良いし、リュックサック組立体１のようにフェース１０の周縁部の途中で途切れていても良い。また、スライダー６０、２２２ａ、２２２ｂは、フェース１０、２０６側に取付けられていても良いし、リュック本体２又はケース本体２０４側に取付けられていても良い。
【００８８】
また、上記実施形態に各々において、スライドファスナー組立体５６、２１８のファスナー部材５８ａ、５８ｂ、２２０ａ、２２０ｂの２つの脱着端部６２、２２４ａ、２２４ｂは、間隔をおいて配置されていても良いし、スライドファスナー組立体の幅方向にずらされていても良いし、脱着端部の間に切れ目が設けられていても良いし、これらが組み合わされていても良い。脱着端部の間に切れ目が設けられている場合、切れ目は、一方のファスナー部材の挿入体が他方のファスナー部材に係合しているスライダーの挿入口に容易に移動できるのに十分な長さ設けられる。例えば、脱着端部に切れ目だけが設けられている場合には、切れ目は比較的長くなり、脱着端部が、更に、間隔をおいて配置されていたりスライドファスナー組立体の幅方向にずらされている場合には、切れ目は、前述の場合より短くて良い。
【００８９】
【発明の効果】
以上説明したように、本発明により、消費者が配色等を自由に選択してそれらを容易に変更でき、しかも、製造者のコスト負担を軽減できることができるバッグ組立体及びバッグ組立体セットを提供することが可能になる。
【００９０】
更に、消費者が配色等を自由に選択してそれらを容易に変更でき、製造者のコスト負担を軽減することができ、しかも、良好な装着感を確保することができるリュックサック組立体及びヒップバッグ組立体を提供することが可能になる。
【図面の簡単な説明】
【図１】本発明の第１の実施形態によるリュックサック組立体の右側面図である。
【図２】図１のリュックサック組立体の正面図である。
【図３】フェースをリュック本体に取付ける状態を示すリュック本体の部分拡大図である。
【図４】ショルダープロテクターの正面図である。
【図５】ショルダープロテクターの背面図である。
【図６】リュック本体の背面図である。
【図７】図１のリュックサック組立体の背面図である。
【図８】本発明の第２の実施形態によるヒップバッグ組立体の右側面図である。
【図９】図８のヒップバッグ組立体の正面図である。
【図１０】ウエストプロテクターの平面図である。
【図１１】バッグ本体の側面図である。
【図１２】バッグ本体の背面図である。
【図１３】本発明の第１の実施形態によるリュック組立体に取付けた本発明の第２の実施形態によるヒップバッグの正面図である。
【図１４】本発明の第３の実施形態によるブリーフケース組立体の概略斜視図である。
【図１５】フェースをケース本体に取付ける状態を示すブリーフケース組立体の部分拡大図である。
【図１６】図１４のブリーフケース組立体の右側面図である。
【図１７】図１４のブリーフケース組立体の左側面図である。
【図１８】図１４のブリーフケース組立体の底面図である。
【符号の説明】
１　　　リュックサック組立体
２　　　リュック本体
４　　　ショルダープロテクター
８　　　後面
１０　　フェース
５６　　スライドファスナー組立体
５８ａ、５８ｂ　ファスナー部材
６０　　スライダー
６２　　脱着端部
７０　　横長のテープ
７２　　面ファスナー
７６　　後パッド部
９４　　縦ストラップ
１０６　連結ストラップ組立体
１３０　ヒップバッグ組立体
１３２　バッグ本体
１３４　ウエストプロテクター
１５０　中央パッド部
１７０　フラップ
１７２　前面
２００　ブリーフケース組立体
２０２　正面
２０４　ケース本体
２０６　フェース
２１８　スライドファスナー組立体
２２０ａ、２２０ｂ　ファスナー部材
２２２ａ、２２２ｂ　スライダー
２２４ａ、２２４ｂ　脱着端部
２３４　切れ目
【図１】
2004065624.tif 000003
【図２】
2004065624.tif 000004
【図３】
2004065624.tif 000005
【図４】
2004065624.tif 000006
【図５】
2004065624.tif 000007
【図６】
2004065624.tif 000008
【図７】
2004065624.tif 000009
【図８】
2004065624.tif 000010
【図９】
2004065624.tif 000011
【図１０】
2004065624.tif 000012
【図１１】
2004065624.tif 000013
【図１２】
2004065624.tif 000014
【図１３】
2004065624.tif 000015
【図１４】
2004065624.tif 000016
【図１５】
2004065624.tif 000017
【図１６】
2004065624.tif 000018
【図１７】
2004065624.tif 000019
【図１８】
2004065624.tif 000020